(57)【要約】      （修正有）【課題】走査された文書の端部の画質が向上するブックスキャナを提供する。【解決手段】  第一及び第二の内面とリッジとを有する本を走査するためのブックスキャナ。かかるスキャナは、第一内面を支持するための透明なプラテンと、ハウジングと、走査モジュールとを含む。ハウジングは、第二内面を支持するためのハウジングプラテンを有し、ハウジング及び透明なプラテンは１８０度よりも狭い第一角度を定義するために接続される。モジュールは、第一及び第二セクションを有する照明装置を含む。２つのセクションは１８０度よりも狭い第二角度を定義し、曲がった第二のセクションは、明るさを補償するために余分な光線を提供してよく、したがって、端部の画質が向上する。【選択図】  図６
2005278136.tif 000002
【特許請求の範囲】
【請求項１】
第一内面と、第二内面と、開口状態で該第二内面に該第一内面を接続するリッジとを有する本を走査するためのブックスキャナであって、該ブックスキャナは、
前記本の前記第一内面を支持するための透明なプラテンを含み、
前記ブックスキャナはまた、
前記本の前記第二内面を支持するためのハウジングプラテンを有するハウジングを含み、該ハウジングプラテンは１８０度よりも狭い第一角度を定義するために前記透明なプラテンに接続され、
前記ブックスキャナはさらにまた、走査モジュールを含み、該走査モジュールは前記リッジと実質的に平行な方向に沿って移動し、かつ、前記本の前記第一内面を走査するためであり、該走査モジュールは照明装置を含み、該照明装置は、
前記透明なプラテンに実質的に平行な第一セクターと、
該第一セクターに接続する第一終端と、第二終端とを有する第二セクターと、を含み、前記第一及び第二セクターは１８０度より狭い第二角度を定義し、前記第一終端は、前記第二終端が近接するよりも、透明なプラテンを含んでいる第一平面に近接して、端部の画質が向上するために均一な光線が提供されることを特徴とするブックスキャナ。
【請求項２】
反射層をさらに含み、該反射層は、前記照明装置の前記第二セクターから前記本の前記リッジの近辺まで発せられた前記光線を反射するための前記ハウジングプラテンの内面上に配置されることを特徴とする請求項１に記載のブックスキャナ。
【請求項３】
前記第一角度は、前記第二角度と実質的に等しいことを特徴とする請求項１に記載のブックスキャナ。
【請求項４】
前記照明装置の前記第二セクターを前記走査モジュールに固定するための第一フィキサーをさらに含むことを特徴とする請求項１に記載のブックスキャナ。
【請求項５】
前記第一フィキサーは、前記ハウジングプラテンの内面と接触摺動することを特徴とする請求項４に記載のブックスキャナ。
【請求項６】
前記照明装置の前記第一セクターを前記走査モジュールに固定するための第二フィキサーをさらに含むことを特徴とする請求項４に記載のブックスキャナ。
【請求項７】
前記第一フィキサーは、前記ハウジングプラテンの内面と接触摺動し、前記第二フィキサーは、前記透明なプラテンの内面と接触摺動することを特徴とする請求項６に記載のブックスキャナ。
【請求項８】
前記走査モジュールはさらに、反射鏡と、レンズと、画像センサーとからなり、該反射鏡は、前記本から反射されて、該レンズを介して該画像センサーまで反射された前記光線を反射することを特徴とする請求項１に記載のブックスキャナ。
【請求項９】
前記第一セクター及び第二セクターは、前記透明なプラテンに対して実質的に垂直な第二平面を定義することを特徴とする請求項１に記載のブックスキャナ。
【請求項１０】
前記ハウジングプラテン及び前記透明なプラテンは、単一構造に統合して形成されることを特徴とする請求項１に記載のブックスキャナ。
【請求項１１】
前記照明装置は、冷陰極蛍光ランプであることを特徴とする請求項１に記載のブックスキャナ。
【請求項１２】
前記照明装置は、
回路ボードと、
該回路ボード上の複数のＬＥＤ（発光ダイオード）と、
前記均一な光線を提供するように前記ＬＥＤから発せられた前記光線を均質化するため前記ＬＥＤ上に位置される、光をガイドする構成部分と、
を含むことを特徴とする請求項１に記載のブックスキャナ。
【請求項１３】
前記ＬＥＤの各々は、有機発光ダイオード（ＯＬＥＤ）であることを特徴とする請求項１２に記載のブックスキャナ。
【請求項１４】
前記照明装置は、
２つのＬＥＤと、
光をガイドする構成部分と、を含み、
前記ＬＥＤは前記光をガイドする構成部分の２つの終端に位置し、前記均一な光線を提供するように、該光をガイドする構成部分は前記ＬＥＤから発せられた前記光線を均質化することを特徴とする請求項１に記載のブックスキャナ。
【請求項１５】
前記照明装置はさらに、前記ＬＥＤ上に設置された回路ボードを含むことを特徴とする請求項１４に記載のブックスキャナ。
【請求項１６】
前記照明装置はさらに、前記ＬＥＤ上にそれぞれ設置された２つの回路ボードを含むことを特徴とする請求項１４に記載のブックスキャナ。
【請求項１７】
前記ＬＥＤの各々は、有機発光ダイオード（ＯＬＥＤ）であることを特徴とする請求項１４に記載のブックスキャナ。
【請求項１８】
前記ハウジングプラテンは、
基部と、
該基部を前記透明なプラテンに接続するためのアダプタと、
を含むことを特徴とする請求項１に記載のブックスキャナ。
【発明の詳細な説明】
【技術分野】
【０００１】
本発明は、発明の名称が“フラットベッドの画像スキャナのための光源”で、１９９７年４月２９日出願の同時係属出願米国第０８／８４８，２４６号の一部継続出願である。
【０００２】
本発明は、端部の画質が向上したブックスキャナに関し、より詳細には、照明装置の端部の明るさを補償する湾曲した照明装置を有するブックスキャナに関する。
【背景技術】
【０００３】
フラットベッドの画像スキャナは、コンピュータの周辺装置として幅広く使用されている。かかるスキャナは、コンピュータでのさらなる処理のための文書、雑誌、本、グラフ等のテキスト又は絵を走査できる。
【０００４】
フラットベッドスキャナは、光読み取りユニットと、ドライビングユニットと、ピクチャー処理回路と、透明な走査窓と、フレームとから構成される。今日に於ける開発の傾向は、軽量で薄くて短いスキャナを製作することであり、それによってスキャナはスペースをあまり必要としない。
【０００５】
図１は、従来の設計の線形の光源１０１を示す。要素１１は、走査窓１２が位置する上のフレームである。走査窓１２は、効果的な走査エリア１２ａを有する。エリア１２ｂは、典型的な蛍光ランプの終端の構成による不十分な照明を有するために、非効果的な走査エリアである。このエリア１２ｂは、走査窓１２とフレーム１１とを接続するために使用される。
【０００６】
図２は、従来の設計の線形の光源の効果的な照明エリアを示す。線形の光源の問題点は、二箇所の終端１０１ｂのランプ１０１の照明が、光源の中心部分よりも弱いことである。かかる弱い照明エリアは、露光された文書の二箇所の端部を不十分な照明とさせて、走査した画像の画質を劣化させる。線形のランプ１０１の中心部分１０１ａだけが、高画質を維持して効果的に走査窓を走査できる。ランプの二箇所の終端の不十分な照明を解決するために、従来の実行はランプを延長することである。延長した長さは、不十分に照らされた領域１０１ｂを有効な照明領域１０１ａの外に位置させる。この構造の問題点は、線形ランプの拡張であり、これによって、ランプの増大した長さを収容するために走査設備の容積が増大する。拡張は多くはないが、スキャナのフレームは容積と重量では実質的に増加されるに違いない。
【０００７】
Ｕ字型の照明管又はΩ型の照明管が不十分な末端帯域の照明問題を解決するために使用される（例えば、特許文献１参照）。Ｕ字型の照明管の設計において、２つの平行な管は一つの終端に接続されるが、もう一方の終端で開いている。この設計は走査ユニットのサイズを削減でき、管の接続された終端の照明の質を改善できるが、管のもう一方の開口終端の照明の質は改善されない。かかる特許文献１において、管の開口終端はΩ字状に外側に向かって拡張される。しかしながら、そのような設計はさらなる管の物質を必要とする。この特許文献１の発明の機能は、少ない物質で二箇所の不十分な照明された終端の照明を増大することである。
【０００８】
結果として、従来のスキャナで使用されるランプの管は、ランプの管の中心の明るさはより明るく、均一であり、一方で管の二箇所の終端での明るさが暗いので、通常は不均一な明るさの分配を有する。したがって、走査するために不均一な明るさのランプ管を使用して、文書は良好な走査の結果を得ることができない。この問題を解決するために、上述したＵ字型ランプの管は、ランプの管の端部の明るさを補償するために提案されている。
【０００９】
図３は、Ｕ字型のランプの管が端部の明るさを補償するために使用されることを示す概略図である。図３に示されるように、スキャナのＵ字型のランプの管１１０は、文書１００の端部の周辺に対応して位置し、フィキサー１２０によって走査モジュール１４０に固定される、曲がった部分１１２を有する。余分な光線が文書１００の端部の明るさを補償するかもしれないので、走査の品質を高めることができる。
【００１０】
図４は、図３のランプの管がブックスキャナに適用されたことを示す部分的な概略図である。図４に示されるように、ブックスキャナ１３０のハウジング１５０は、典型的に、透明なプラテン１６０と共に本を支持するためのハウジングプラテン１５２を有する。加えて、本上に照明されるランプの管の明るさの固定された量を維持するために、ランプの管１１０から透明なプラテン１６０までの距離は、一般的にあまりにも長くはあり得ない。結果として、たとえＵ字型ランプの管１１０がハウジングプラテン１５２に接しても、傾斜するハウジングプラテン１５２が図４のＵ字型のランプの管１１０の左の拡張可能な範囲を制限するので、本の綴じている端部の周辺の十分な光線はそれでも提供できない。加えて、Ｕ字型のランプの管１１０は容易に製造することができず、その費用は高い。加えて、走査モジュール１４０にＵ字型のランプの管１１０を固定するためのフィキサー１２０は通常、高価で、且つ、不十分な固定効果を有し、又はフィキサー１２０は光線の一部を遮蔽し、これによって明るさの補償に影響を及ぼす。
【００１１】
ランプの管の明るさの補償技術があり（例えば、特許文献１、２、３及び４参照）、開示されたランプの管は端部の明るさを補償するための多くの種類がある。しかしながら、それらのランプの管とそれらランプの管の形態は、上述した使用の問題に遭遇する。
【００１２】
したがって、本発明の重要な主題は、本を走査する場合に終端の明るさを補償することができるブックスキャナを提供することである。
【特許文献１】米国特許第５，４７５，５０５号明細書
【特許文献２】米国特許第５，７６８，６６３号明細書
【特許文献３】米国特許第５，９５０，０５３号明細書
【特許文献４】米国特許第６，１３３，５８０号明細書
【発明の開示】
【発明が解決しようとする課題】
【００１３】
本発明の目的は、曲がった照明装置が、光線のための効果的な補償を提供するためにブックスキャナのハウジングプラテンの傾斜する形状に一致するように配置され、これによって走査された文書の端部の画質が向上する、端部の画質を向上したブックスキャナを提供することである。
【課題を解決するための手段】
【００１４】
本発明は、第一内面、第二内面及びリッジを有する本を走査するためのブックスキャナの提供によって達成する。スキャナは、第一内面、ハウジング及び走査モジュールを支持するための透明なプラテンを含む。ハウジングは第二内面を指示するためのハウジングプラテンを有し、ハウジングと透明なプラテンは１８０度よりも小さい第一角度を定義するために接続される。モジュールは、第一内面を走査するためにリッジと平行な方向に沿って移動される。モジュールは第一及び第二セクションを有する照明装置を含む。２つのセクションは１８０度よりも小さい第二角度を定義し、第二セクションは第一終端及び第二終端を有する。さらに、第一終端は、第二終端が近接するよりも、透明なプラテンを含んでいる第一平面に近接する。曲がった第二セクションは、明るさを補償するために余分な光線を提供してもよく、これによって、端部の画質が向上する。
【００１５】
好ましくは、第一角度は第二角度に等しく、照明装置の第一及び第二セクションは、好ましくは、第一フィキサー及び第二フィキサーによって走査モジュールに固定され、ハウジングプラテンの内面及び透明なプラテン上をそれぞれ摺動する。
【００１６】
照明装置は、冷陰極蛍光ランプであってよく、又は複数のＬＥＤ（発光ダイオード）若しくは複数のＯＬＥＤ（有機発光ダイオード）から構成されてもよい。
【発明を実施するための最良の形態】
【００１７】
本発明の好ましい実施態様は、添付図を参照して記載される。本発明の趣旨は、光線の効果的な明るさを補償するように、曲がった照明装置が、ブックスキャナのハウジングプラテンの傾斜構造と一致するように配置されることである。
【００１８】
図５は、本発明の画像スキャナの基本構造を示す。光読み取りユニットは、光源２０１、反射鏡２３１、２３２、２３３、レンズ２０４、及び光センサー２０５を含む。光源２０１は、慣習的に蛍光ランプである。
【００１９】
フラットベッドイメージスキャナの操作は下記のように記載される。走査される文書Ｄは走査窓に置かれる。文書は、結合端部Ｂを有してよい。文書が光源２０１で照明される場合、反射光は一連の反射鏡２３１、２３２、２３３およびレンズ２０４を通過してセンサー２０５に到達する。センサー２０５は、画像信号をコンピュータでさらに処理されるデジタルデータに処理する。センサーが画像信号の列を完成する場合、ベルト２８０及びローラー２８１は光学式画像読取りユニットを次の走査エリアに移動し、完全な画像が走査されるまで連続する。
【００２０】
図６は本発明の光源の曲がったバルブ構造を示す。光源は曲がったランプ２０１を使用する。
【００２１】
図７はこの曲がった管のランプ２０１の効果的に照明されたエリア２０１ａを示す。本発明は、不十分に照明された領域２０１ｂの２つの終端のための曲がった設計を使用する。管の終端は任意の方向に曲がってよい。図６及び７に示されるように、終端はウィンドウの表面と平行に曲がる。この走査窓２２は効果的な領域２２ａを有する。要素２１は、フレームの走査窓を支持するために使用される。したがって、従来の設計の不十分に照明された領域１０１ｂによって占有されたスペースが照明される。
【００２２】
図１及び２に示される線形のランプ１０１と比較して、曲がった管２０１はスキャナの容量を減少することができ、中間から結合端部まで走査された文書Ｄの全体にわたって一定の質を維持する。従来設計の線形の照明管１０１が走査された文書全体にわたって一定の質を維持できるが、管の２つの終端１０１ｂでの拡張は、スキャナの全面的なサイズをより大きくする。
【００２３】
従来のＵ字型の照明管と比較して、本発明は、文書の結合端部の近くのエリアと同様に走査された文書の中間において一定の質を維持する一方で、より少ない管の材料を使用するという利点を有する。
【００２４】
Ω型の照明管と比較して、本設計の曲がった照明管２０１はより少ない管の材料を使用するという利点を有する。その間に、照明された文書の質は、文書の結合端部に近いエリアと同様に中間エリアでも等しく維持される。Ω型の照明管がランプの２つの終端でセンサーを等しく良好に照明できるが、Ω型の管はさらに管の材料を消費し、より管のスペースを占有する。
【００２５】
曲がった照明管３０１の異なる設計を有する、本発明の別の実施態様が図８に示される。照明管の各終端は、Ｕ字型の終端セクション３０１ｂを形成するために２度曲げられる。照明管は第一の実施態様と同様の機能を提供する。走査窓３２は、効果的な走査エリア３２ａを有する。要素３１は、フレーム上の走査窓３２を支持する。
【００２６】
曲がった終端セクションの形状は、単一の曲がり又は直角に制限されないことを注意するべきである。終端セクションは、ウィンドウに対して平行（下記の実施態様で例証される）又はウィンドウに対して垂直に曲がってよい。それらすべての修正は、本発明の範囲内である。
【００２７】
図９は、本発明の第三の実施態様によるブックスキャナを示す部分的な概略図である。図９に示されるように、本実施態様のブックスキャナ１０は、本３０を走査するためである。本３０は、第一内面３３、第二内面３４、及び開いた状態で第二内面３４に第一内面３３が接続するリッジ３６を有する。リッジ３６は本３０の結合端部に対応し、図９のリッジ３６は紙の平面に対して垂直であり、その結果、リッジ３６は一点としてだけ見ることができる。ブックスキャナ１０は、透明なプラテン１２、ハウジング１４、及び走査モジュール２０を含む。透明なプラテン１２は本３０の第一内面３３を支持するためである。ハウジング１４は、本３０の第二内面３４を支持するためであり、ハウジングプラテン１５は、１８０度よりも狭い第一の角度Ａ１を定義するために透明なプラテン１２に接続される。ハウジングプラテン１５と透明なプラテン１２との間の接続は添付図に例示された構造に制限されないことを注意するべきである。代わって、第一の角度Ａ１を形成できる任意の接続構造は本発明の範囲を逸脱せずに使用することができる。例えば、ハウジングプラテン１５と透明なプラテン１２は、単一構造に統合して形成されてよい。したがって、ハウジングプラテン１５と透明なプラテン１２は、透明な物質から形成された単一構造を有してよい。走査モジュール２０は、リッジ３６と平行な方向に沿って移動し、本３０の第一内面３３を走査するためである。一般的に、走査モジュール２０は、ガイドロッド４５に沿って前後に移動可能な走査モジュール２０を作製するためにガイドロッド４５と合致する一つのスリーブ４４を有する。走査モジュール２０は、曲がった照明装置２８、反射鏡４１、レンズ４２、及び画像センサー４３を含む。照明装置２８は、本３０の第一内面３３に光線を出力する。反射鏡４１は、本３０の第一内面３３から反射される光線をレンズ４２に反射する。次いで、レンズ４２は画像センサー４３上に光線を集光する。画像センサー４３は、光信号を受け、次いで、画像の走査手順を完全にする後の転換を実行する。
【００２８】
照明装置２８は、第一セクター２３と第二セクター２４を含む。第一セクター２３は透明なプラテン１２に平行であり、一方で第二セクター２４は第一セクター２３及び第二終端２６に接続される第一終端２５を有する。第一セクター２３及び第二セクター２４は、１８０度よりも狭い第二角度Ａ２及び透明なプラテン１２と実質的に垂直な第二平面２７を定義する。第一角度Ａ１は第二角度Ａ２と等しくてもよく、又は第二角度Ａ２よりもわずかな大小があってもよい。別の実施態様において、第二平面２７はまた、透明なプラテン１２に対して垂直にできないことを注意する。
【００２９】
第一終端２５は、第二終端２６が近接するよりも透明なプラテン１２に対して近接しており、第二セクター２４は、第一セクター２３に端部の画質を増大する均一な光線を提供することを支援する。詳細には、第一終端２５から透明なプラテン１２までの最短距離Ｄ１は、第二終端２６から透明なプラテン１２の延在面までの最短距離Ｄ２よりも短い。したがって、第二セクター２４の第一終端２５は、第二終端２６が近接するよりも、透明なプラテン１２を含む第一平面１９に近接する。
【００３０】
ブックスキャナ１０はさらに、反射層１６及び第一フィキサー１７を含んでよい。反射層１６は、照明装置２８の第二セクター２４から出力した光線を本３０のリッジ３６の周辺に反射するために、反射鏡の一部であるか、又はハウジングプラテン１５の内面１５Ａ上に配置されて、照明装置２８の第二セクター２４に面する、反射ラベルの層であってよい。第一フィキサー１７は、照明装置２８の第二セクター２４を走査モジュール２０に固定する。第一フィキサー１７と内面１５Ａは小さいギャップによって分離される。しかしながら、ハウジングプラテン１５の第一フィキサー１７と内面１５Ａはまた、下記に記載するが、互いに接触摺動できる。
【００３１】
図１０は、本発明の第四の実施態様によるブックスキャナを示す部分的な概略図である。図１０に示されるように、本実施態様の第一フィキサー１７は、ハウジングプラテン１５の内面１５Ａと接触摺動する。加えて、本実施態様のブックスキャナはさらに、走査モジュール２０に照明装置２８の第一セクター２３を固定するための第二フィキサー１８を含む。透明なプラテン１２の第二フィキサー１８と内面１２Ａは、互いに接触摺動する。第一及び第二のフィキサー１７及び１８をハウジングプラテン１５の内面１５Ａ及び透明なプラテン１２の内面１２Ａと接触摺動をなすことは、本発明のハウジングプラテン１５の傾斜構造と関連する曲がった照明装置を使用して達成される、照明装置２８によって提供された光線を最適化する。曲がった照明装置２８の第二セクター２４によって提供される余分な光線は、不十分な端部の明るさの問題を解決する。加えて、反射層１６を使用することは、さらに光線を本３０のリッジ３６の周辺に反射し、走査された端部の画質はしたがって強められる。加えて、第一及び第二のフィキサー１７及び１８が照明装置２８の線形の固定部分で照明装置２８に固定されるので、固定方法は簡素であり安価な方法である。したがって、従来技術で遭遇した問題は完全に克服される。
【００３２】
図９及び１０の実施態様において、照明装置２８は冷陰極蛍光ランプ（ＣＣＦＬ）である。しかしながら、照明装置２８はまた、光線を出力することができる他のアセンブリにできる。
【００３３】
図１１は、本発明の第五の実施態様によるブックスキャナを示す部分的な概略図である。図１１に示されるように、本実施態様のブックスキャナは第四の実施態様のブックスキャナと同様であるが、照明装置２８が回路ボード２８１、回路ボード２８１上の複数のＬＥＤ（発光ダイオード）２８２、及び光ガイドロッド２８３を含むことが第四の実施態様とは異なる。ＬＥＤ２８２上に位置する光ガイドロッド２８３は、文書を照明する均質な光線を提供するために、ＬＥＤ２８２から出力された光線を均質にする。さらにＬＥＤ２８２が有機発光ダイオード（ＯＬＥＤ）であってもよいことを注意する。加えて、本実施態様のハウジングプラテン１５は、基部１５１とアダプタ１５２から構成される。基部１５１と透明なプラテン１２との間の接続媒体としての役割をするアダプタ１５２は、基部１５１を透明なプラテン１２に接続する。
【００３４】
図１２は、本発明の第六の実施態様によるブックスキャナを示す部分的な概略図である。図１２に示されるように、本実施態様は第五の実施態様と同様であるが、本実施態様の照明装置２８が回路ボード２８１と、２つのＬＥＤ２８２と、光ガイドロッド２８３を含むことが第五の実施態様と異なる。ＬＥＤ２８２は、光ガイドロッド２８３の２つの終端に位置する。光ガイドロッド２８３は、均一な光線を提供するために、ＬＥＤ２８２から出力された光線を均質化する。ＬＥＤ２８２が設置される上の２つの回路ボード２８１は、光ガイドロッド２８３の２つの終端に位置する。さらに２つの回路ボード２８１が一つの回路ボードに統合してよく、２つのＬＥＤ２８２が有機発光ダイオード（ＯＬＥＤ）でよいことを注意する。
【００３５】
したがって、本発明の上述した構造を備える曲がった照明装置によると、照明装置の端部の明るさは、走査された端部の画質が効果的に増大してもよいように、効果的に補償される。加えて、アダプタを追加することは、透明なプラテンとハウジングを組立てる工程とデザインをさらに柔軟に変化させる。例えば、図９の反射層１６は、製造工程を簡素にするように、図１１又は１２のアダプタ１５２に直接的に適用してよい。
【００３６】
本発明は好ましい実施態様に関して実施例の手法で記載されたが、本発明は開示された実施態様に制限されないことが理解される。反対に、様々な修正を含むことが意図される。したがって、請求項の範囲は、そのような修正をすべて包含するように最も広く解釈されるべきである。
【図面の簡単な説明】
【００３７】
【図１】従来技術の線形の光源の操作を示す図である。
【図２】従来技術の線形の光源の効果的なエリアを示す図である。
【図３】Ｕ字型のランプの管が端部の明るさを補償するために使用されることを示す概略図である。
【図４】図３のランプの管がブックスキャナに適用されることを示す部分的な概略図である。
【図５】本発明の第一実施態様の基礎構造を示す図である。
【図６】本発明に基づく曲がった光源の構造を示す図である。
【図７】曲がった光源の効果的な照明エリアを示す図である。
【図８】本発明の第二の実施態様を示す図である。
【図９】本発明の第三の実施態様によるブックスキャナを示す部分的な概略図である。
【図１０】本発明の第四の実施態様によるブックスキャナを示す部分的な概略図である。
【図１１】本発明の第五の実施態様によるブックスキャナを示す部分的な概略図である。
【図１２】本発明の第六の実施態様によるブックスキャナを示す部分的な概略図である。
【符号の説明】
【００３８】
１０      ブックスキャナ
１１      フレーム
１２      走査窓
１２Ａ    内面
１２ａ    走査エリア
１２ｂ    エリア
１４      ハウジング
１５      ハウジングプラテン
１５Ａ    ハウジングプラテン１５の内面
１６      反射層
１７      第一フィキサー
１８      第二フィキサー
１９      第一平面
２０      走査モジュール
２１      要素
２２      走査窓
２２ａ    効果的な領域
２３      第一セクター
２４      第二セクター
２５      第一終端
２６      第二終端
２７      第二平面
２８      照明装置
３０      本
３１      要素
３２      走査窓
３２ａ    効果的な走査エリア
３３      第一内面
３４      第二内面
３６      リッジ
４１      反射鏡
４２      レンズ
４３      画像センサー
４４      一つのスリーブ
４５      ガイドロッド
１０１    光源
１０１ａ  中心部分
１０１ｂ  終端
１００    文書
１１０    ランプの管
１１２    曲がった部分
１２０    フィキサー
１３０    ブックスキャナ
１４０    走査モジュール
１５０    ハウジング
１５１    基部
１５２    ハウジングプラテン
１６０    透明なプラテン
２０１    光源
２０１ａ  照明されたエリア
２０１ｂ  不十分に照明された領域
２０４    レンズ
２０５    光センサー
２３１    反射鏡
２３２    反射鏡
２３３    反射鏡
２８０    ベルト
２８１    回路ボード
２８２    ＬＥＤ
２８３    光ガイドロッド
３０１    曲がった照明管
３０１ｂ  Ｕ字型の終端セクション
【図１】
2005278136.tif 000003
【図２】
2005278136.tif 000004
【図３】
2005278136.tif 000005
【図４】
2005278136.tif 000006
【図５】
2005278136.tif 000007
【図６】
2005278136.tif 000008
【図７】
2005278136.tif 000009
【図８】
2005278136.tif 000010
【図９】
2005278136.tif 000011
【図１０】
2005278136.tif 000012
【図１１】
2005278136.tif 000013
【図１２】
2005278136.tif 000014